(57)【要約】【課題】本発明は、雷サージ及び／又は静電気を放電する放電ギャップパターン及び電源装置に関し、放電に対する放電ギャップパターンの耐久性を向上させることを課題とする。【解決手段】第１の放電用パターン４１，４４に第２の放電用パターン４２，４５と対向する第１の側面４１Ａ，４４Ａを設け、第２の放電用パターン４２，４５に第１の側面４１Ａ，４４Ａと対向する第２の側面４２Ａ，４５Ａを設けると共に、第１の側面４１Ａ，４４Ａと第２の側面４２Ａ，４５Ａとを略平行に配置する。【選択図】図２
2010021209.tif 000002
【特許請求の範囲】
【請求項１】
第１の配線パターンと接続され、前記第１の配線パターンから突出する第１の放電用パターンと、
前記第１の配線パターン及び前記第１の放電用パターンとは電気的に絶縁された第２の配線パターンと接続され、前記第２の配線パターンから突出すると共に、前記第１の放電用パターンと対向配置された第２の放電用パターンと、を有し、
前記第１の放電用パターンと前記第２の放電用パターンとの間が所定の間隔とされ、前記第１の放電用パターンと前記第２の放電用パターンとの間で雷サージ及び／又は静電気を放電する放電ギャップパターンであって、
前記第１の放電用パターンに前記第２の放電用パターンと対向する第１の側面を設け、前記第２の放電用パターンに前記第１の側面と対向する第２の側面を設けると共に、
前記第１の側面と前記第２の側面とを略平行に配置したことを特徴とする放電ギャップパターン。
【請求項２】
前記第１及び第２の放電用パターンの形状は、矩形であることを特徴とする請求項１記載の放電ギャップパターン。
【請求項３】
前記第１及び第２の放電用パターンの上面に、導電部材を設けたことを特徴とする請求項１又は２記載の放電ギャップパターン。
【請求項４】
雷サージ及び／又は静電気を放電する放電ギャップパターンであって、
第１の配線パターンと接続され、前記第１の配線パターンから突出する放電用パターンと、
前記放電用パターンと対向する部分に放電領域を有すると共に、前記第１の配線パターン及び前記放電用パターンと電気的に絶縁された第２の配線パターンと、を有し、
前記放電用パターンと前記放電領域に対応する部分の前記第２の配線パターンとの間は、所定の間隔とされており、
前記放電用パターンに前記放電領域に対応する部分の前記第２の配線パターンの側面と対向する放電用側面を設け、前記第２の配線パターンの側面と前記放電用側面とを略平行に配置したことを特徴とする放電ギャップパターン。
【請求項５】
前記放電用パターンの形状は、矩形であることを特徴とする請求項４記載の放電ギャップパターン。
【請求項６】
前記放電用パターン及び前記放電領域に対応する部分の前記第２の配線パターンの上面に、導電部材を設けたことを特徴とする請求項４又は５記載の放電ギャップパターン。
【請求項７】
雷サージ及び／又は静電気を放電する放電ギャップパターンであって、
放電領域を有した第１の配線パターンと、
第２の配線パターンと接続され、前記第２の配線パターンから突出すると共に、前記放電領域に対応する部分の前記第１の配線パターンと対向する放電用パターンと、を有し、
前記放電用パターンは、前記第１の配線パターンと電気的に絶縁され、
前記放電領域に対応する部分の前記第１の配線パターンと前記放電用パターンとの間は、所定の間隔とされており、
前記放電用パターンに前記放電領域に対応する部分の前記第１の配線パターンの側面と対向する放電用側面を設け、前記第１の配線パターンの側面と前記放電用側面とを略平行に配置したことを特徴とする放電ギャップパターン。
【請求項８】
前記放電用パターンの形状は、矩形であることを特徴とする請求項７記載の放電ギャップパターン。
【請求項９】
前記放電用パターン及び前記放電領域に対応する部分の前記第１の配線パターンの上面に、導電部材を設けたことを特徴とする請求項７又は８記載の放電ギャップパターン。
【請求項１０】
請求項１ないし９のうち、いずれか１項記載の放電ギャップパターンと、
前記放電ギャップパターンが形成された基板と、
前記第１の配線パターンと電気的に接続された電源と、
前記第２の配線パターンと電気的に接続された内部回路と、
前記放電用パターン及び前記放電領域と電気的に接続されたラインフィルタと、を備えたことを特徴とする電源装置。
【発明の詳細な説明】
【技術分野】
【０００１】
本発明は、放電ギャップパターン及び電源装置に係り、特に雷サージ及び／又は静電気を放電する放電ギャップパターン及び電源装置に関する。
【背景技術】
【０００２】
図７は、従来の放電ギャップパターンを示す平面図である。図７において、Ｆは、第１の放電用パターン２０１の先端２０１Ａと第２の放電用パターン２０２の先端２０２Ａとの間の所定の間隔（以下、「所定の間隔Ｆ」という）を示している。なお、所定の間隔Ｆとは、雷サージ及び／又は静電気に起因するエネルギーを放電する際に好適な間隔のことである。
【０００３】
図７を参照するに、従来の放電ギャップパターン２００は、雷サージ及び／又は静電気を放電するためのパターンであり、第１及び第２の放電用パターン２０１，２０２により構成されている。第１の放電用パターン２０１は、第１の配線パターン２０４と一体的に構成されている。第１の放電用パターン２０１は、先鋭形状（具体的には、三角形）とされており、第１の配線パターン２０４から突出している。第１の放電用パターン２０１は、第１の配線パターン２０４と同じ厚さとされている。
【０００４】
第２の放電用パターン２０２は、第２の配線パターン２０５と一体的に構成されている。第２の放電用パターン２０２は、先鋭形状（具体的には、三角形）とされており、第２の配線パターン２０５から突出している。第２の放電用パターン２０２は、第２の配線パターン２０５と同じ厚さとされている。
【０００５】
第１及び第２の放電用パターン２０１，２０２は、第１の放電用パターン２０１の先端２０１Ａと第２の放電用パターン２０２の先端２０２Ａとが対向すると共に、先端２０１Ａと先端２０２Ａとの間が所定の間隔Ｆとなるように配置されている。
【０００６】
上記構成とされた放電ギャップパターン２００は、例えば、電源装置（図８参照）に適用されている。
【０００７】
図８は、従来の放電ギャップパターンを備えた電源装置の概略構成図である。図８において、図７に示す構造体と同一構成部分には同一符号を付す。また、図８では説明の便宜上、ラインフィルタ２１２を一点鎖線で図示する。
【０００８】
図８を参照するに、従来の電源装置２１０は、基板２１１と、２つの第１の配線パターン２０４と、２つの第２の配線パターン２０５と、放電ギャップパターン２００と、ラインフィルタ２１２と、電源２１３と、内部回路２１５とを有する。
【０００９】
第１及び第２の配線パターン２０４，２０５、及び放電ギャップパターン２００は、基板２１１上に設けられている。第１の配線パターン２０４は、ラインフィルタ２１２の端子が接続される接続部２０４Ａを有する。第１の配線パターン２０４は、ラインフィルタ２１２及び電源２１３と電気的に接続されている。
【００１０】
第２の配線パターン２０５は、ラインフィルタ２１２の端子が接続される接続部２０５Ａを有する。第２の配線パターン２０５は、ラインフィルタ２１２及び内部回路２１５と電気的に接続されている。第１及び第２の配線パターン２０４，２０５は、第１の配線パターン２０４の一方の端部と、第２の配線パターン２０５の一方の端部とが対向するように配置されている。
【００１１】
放電ギャップパターン２００は、対向する部分の第１及び第２の配線パターン２０４，２０５に設けられている。
【００１２】
ラインフィルタ２１２は、ノイズを除去するためのものであり、４つの端子を有する。ラインフィルタ２１２は、第１及び第２の配線パターン２０４，２０５の接続部２０４Ａ，２０５Ａに実装されている。
【００１３】
上記構成とされた従来の電源装置２１０は、放電ギャップパターン２００により、ラインフィルタ２１２に蓄積された雷サージ及び／又は静電気に起因するエネルギーを放電することで、内部回路２１５の破損を防止している（例えば、特許文献１参照。）。
【特許文献１】特開２００２−２３２０９１号公報
【発明の開示】
【発明が解決しようとする課題】
【００１４】
図９は、従来の放電ギャップパターンの問題を説明するための図である。図９において、図７に示す構造体と同一構成部分には同一符号を付す。
【００１５】
しかしながら、従来の放電ギャップパターン２００では、第１及び第２の放電用パターン２０１，２０２が先鋭形状（具体的には、三角形）とされていたため、図９に示すように、繰り返し放電を行なった場合、第１及び第２の放電用パターン２０１，２０２の先端部分が破損してしまう。これにより、第１の放電用パターン２０１と第２の放電用パターン２０２との間隔が所定の間隔Ｆよりも広くなるため、放電ギャップパターン２００により、雷サージ及び／又は静電気に起因するエネルギーを放電することができなくなってしまうという問題があった。
【００１６】
そこで、本発明は上記の点に鑑みてなされたものであり、第１の放電用パターンと第２の放電用パターンとの間を所定の間隔に保つことで、繰り返し放電を行うことのできる放電ギャップパターン及び電源装置を提供することを目的とする。
【課題を解決するための手段】
【００１７】
本発明の一観点によれば、第１の配線パターン（１８，１９）と接続され、前記第１の配線パターン（１８，１９）から突出する第１の放電用パターン（４１，４４）と、
前記第１の配線パターン（１８，１９）及び前記第１の放電用パターン（４１，４４）とは電気的に絶縁された第２の配線パターン（２１，２２）と接続され、前記第２の配線パターン（２１，２２）から突出すると共に、前記第１の放電用パターン（４１，４４）と対向配置された第２の放電用パターン（４２，４５）と、を有し、前記第１の放電用パターン（４１，４４）と前記第２の放電用パターン（４２，４５）との間が所定の間隔（Ｃ）とされ、前記第１の放電用パターン（４１，４４）と前記第２の放電用パターン（４２，４５）との間で雷サージ及び／又は静電気を放電する放電ギャップパターン（２５，２６）であって、前記第１の放電用パターン（４１，４４）に前記第２の放電用パターン（４２，４５）と対向する第１の側面（４１Ａ，４４Ａ）を設け、前記第２の放電用パターン（４２，４５）に前記第１の側面（４１Ａ，４４Ａ）と対向する第２の側面（４２Ａ，４５Ａ）を設けると共に、前記第１の側面（４１Ａ，４４Ａ）と前記第２の側面（４２Ａ，４５Ａ）とを略平行に配置したことを特徴とする放電ギャップパターン（２５，２６）が提供される。
【００１８】
本発明によれば、第１の放電用パターン（４１，４４）に第２の放電用パターン（４２，４５）と対向する第１の側面（４１Ａ，４４Ａ）を設け、第２の放電用パターン（４２，４５）に第１の側面（４１Ａ，４４Ａ）と対向する第２の側面（４２Ａ，４５Ａ）を設けると共に、第１の側面（４１Ａ，４４Ａ）と第２の側面（４２Ａ，４５Ａ）とを略平行に配置することにより、第１の放電用パターン（４１，４２）及び／又は第２の放電用パターン（４４，４５）の一部が破損した場合でも第１の放電用パターン（４１，４４）と第２の放電用パターン（４２，４５）との間を所定の間隔（Ｃ）に保つことが可能となるので、繰り返し放電を行うことができる。
【００１９】
本発明の他の観点によれば、雷サージ及び／又は静電気を放電する放電ギャップパターン（５１，５７）であって、第１の配線パターン（１８，１９）と接続され、前記第１の配線パターン（１８，１９）から突出する放電用パターン（４１，４４）と、前記放電用パターン（４１，４４）と対向する部分に放電領域（５４，５８）を有すると共に、前記第１の配線パターン（１８，１９）及び前記放電用パターン（４１，４４）と電気的に絶縁された第２の配線パターン（５３，５６）と、を有し、前記放電用パターン（４１，４４）と前記放電領域（５４，５８）に対応する部分の前記第２の配線パターン（５３，５６）との間は、所定の間隔（Ｃ）とされており、前記放電用パターン（４１，４４）に前記放電領域（５４，５８）に対応する部分の前記第２の配線パターン（５３，５６）の側面（５４Ａ，５８Ａ）と対向する放電用側面（４１Ａ，４４Ａ）を設け、前記第２の配線パターン（５３，５６）の側面（５４Ａ，５８Ａ）と前記放電用側面（４１Ａ，４４Ａ）とを略平行に配置したことを特徴とする放電ギャップパターン（５１，５７）が提供される。
【００２０】
本発明によれば、放電用パターン（４１，４４）に前記放電領域（５４，５８）に対応する部分の前記第２の配線パターン（５３，５６）の側面（５４Ａ，５８Ａ）と対向する放電用側面（４１Ａ，４４Ａ）を設け、前記第２の配線パターン（５３，５６）の側面（５４Ａ，５８Ａ）と前記放電用側面（４１Ａ，４４Ａ）とを略平行に配置することにより、放電用パターン（４１，４４）及び／又は放電領域（５４，５８）に対応する部分の第２の配線パターン（５３，５６）の一部が破損した場合でも、放電用パターン（４１，４４）と放電領域（５４，５８）に対応する部分の第２の配線パターン（５３，５６）との間を所定の間隔（Ｃ）に保つことが可能となるので、繰り返し放電を行うことができる。
【００２１】
本発明のその他の観点によれば、雷サージ及び／又は静電気を放電する放電ギャップパターン（６１，６７）であって、放電領域（６４，６８）を有した第１の配線パターン（６３，６６）と、第２の配線パターン（２１，２２）と接続され、前記第２の配線パターン（２１，２２）から突出すると共に、前記放電領域（６４，６８）に対応する部分の前記第１の配線パターン（６３，６６）と対向する放電用パターン（４２，４５）と、を有し、前記放電用パターン（４２，４５）は、前記第１の配線パターン（６３，６６）と電気的に絶縁され、前記放電領域（６４，６８）に対応する部分の前記第１の配線パターン（６３，６６）と前記放電用パターン（４２，４５）との間は、所定の間隔（Ｃ）とされており、前記放電用パターン（４２，４５）に前記放電領域（６４，６８）に対応する部分の前記第１の配線パターン（６３，６６）の側面（６４Ａ，６８Ａ）と対向する放電用側面（４２Ａ，４５Ａ）を設け、前記第１の配線パターン（６３，６６）の側面（６４Ａ，６８Ａ）と前記放電用側面（４２Ａ，４５Ａ）とを略平行に配置したことを特徴とする放電ギャップパターン（６１，６７）が提供される。
【００２２】
本発明によれば、放電用パターン（４２，４５）に放電領域（６４，６８）に対応する部分の第１の配線パターン（６３，６６）の側面（６４Ａ，６８Ａ）と対向する放電用側面（４２Ａ，４５Ａ）を設け、第１の配線パターン（６３，６６）の側面（６４Ａ，６８Ａ）と放電用側面（４２Ａ，４５Ａ）とを略平行に配置することにより、放電領域（６４，６８）に対応する部分の第１の配線パターン（６３，６６）及び／又は放電用パターン（４２，４５）の一部が破損した場合でも、放電領域（６４，６８）に対応する部分の第１の配線パターン（６３，６６）と放電用パターン（４２，４５）との間を所定の間隔（Ｃ）に保つことが可能となるので、繰り返し放電を行うことができる。
【００２３】
また、上記放電ギャップパターン（２５，２６，５１，５７，６１，６７）を、基板（１６）と、前記第１の配線パターン（１８，１９，６３，６６）と電気的に接続された電源（１１）と、前記第２の配線パターン（２１，２２，５３，５６）と電気的に接続された内部回路（３１）と、前記第１及び第２の配線パターン（１８，１９，２１，２２，５３，５６，６３，６６）と電気的に接続されたラインフィルタ（２８）と、を備えた電源装置（１０）に適用してもよい。
【００２４】
これにより、ラインフィルタ（２８）に蓄積された雷サージ及び／又は静電気を繰り返し放電行うことが可能となるので、ラインフィルタ（２８）と電気的に接続された内部回路（３１）が破損することを防止できる。
【００２５】
なお、上記参照符号は、あくまでも参考であり、これによって、本願発明が図示の態様に限定されるものではない。
【発明の効果】
【００２６】
本発明によれば、放電に対する放電ギャップパターンの耐久性を向上させることができる。
【発明を実施するための最良の形態】
【００２７】
次に、図面に基づいて本発明の実施の形態を説明する。
【００２８】
（実施の形態）
図１は、本発明の実施の形態に係る電源装置の概略構成図であり、図２は、図１に示す領域Ａに対応する部分の電源装置の平面図である。図１では、図２に示す放電ギャップパターン２５，２６を図示することが困難なため、その図示を省略する。図２では、説明の便宜上、図１に示すラインフィルタ２５の図示を省略する。また、図２において、Ｂはラインフィルタ２８が実装される基板１６の領域（以下、「ラインフィルタ実装領域Ｂ」という）を示している。
【００２９】
図１及び図２を参照するに、電源装置１０は、電源であるＡＣ電源１１から必要な大きさのＤＣ電圧を得るための装置であり、ＡＣ電源１１と、ヒューズ１２と、バリスタ１４と、コンデンサ１５と、基板１６と、第１の配線パターン１８，１９と、第２の配線パターン２１，２２と、放電ギャップパターン２５，２６と、ラインフィルタ２８と、内部回路３１とを有する。
【００３０】
ヒューズ１２は、ＡＣ電源に対して直列に接続されている。バリスタ１４は、ヒューズ１２に対して直列に接続されている。コンデンサ１５は、バリスタ１４に対して並列に接続されている。
【００３１】
基板１６は、絶縁層、ビア、及び配線等（図示せず）から構成されている。基板１６としては、例えば、プリント配線基板を用いることができる。
【００３２】
第１の配線パターン１８は、基板１６上に設けられている。第１の配線パターン１８は、ラインフィルタ２８の後述する端子２８Ａが実装される接続部３３（ラウンド部）を有する。接続部３３は、ラインフィルタ実装領域Ｂに対応する部分の基板１６上に配置されている。上記構成とされた第１の配線パターン１８は、ＡＣ電源１１、バリスタ１４、及びコンデンサ１５の一方の端子と電気的に接続されている。
【００３３】
第１の配線パターン１９は、基板１６上に設けられている。第１の配線パターン１９は、ラインフィルタ２８の後述する端子２８Ｂが実装される接続部３４（ラウンド部）を有する。接続部３４は、ラインフィルタ実装領域Ｂに対応する部分の基板１６上に配置されている。上記構成とされた第１の配線パターン１９は、ＡＣ電源１１、バリスタ１４、及びコンデンサ１５の他方の端子と電気的に接続されている。
【００３４】
第２の配線パターン２１は、基板１６上に設けられている。第２の配線パターン２１は、ラインフィルタ２８の後述する端子２８Ｃが実装される接続部３５（ラウンド部）を有する。接続部３５は、ラインフィルタ実装領域Ｂに対応する部分の基板１６上に配置されている。
【００３５】
第２の配線パターン２２は、基板１６上に設けられている。第２の配線パターン２１は、ラインフィルタ２８の後述する端子２８Ｄが実装される接続部３６（ラウンド部）を有する。接続部３４は、ラインフィルタ実装領域Ｂに対応する部分の基板１６上に配置されている。上記構成とされた第２の配線パターン２１，２２は、内部回路３１と電気的に接続されている。
【００３６】
放電ギャップパターン２５は、ラインフィルタ２８に蓄電された雷サージ及び／又は静電気に起因するエネルギーを放電することで内部回路３１が破損することを防止するためのパターンであり、第１の放電用パターン４１と、第２の放電用パターン４２とを有する。
【００３７】
第１の放電用パターン４１は、ラインフィルタ実装領域Ｂに対応する部分の基板１６上に設けられている。第１の放電用パターン４１は、第１の配線パターン１８と一体的に構成されると共に、ラインフィルタ実装領域Ｂに位置する部分の第１の配線パターン１８の端部から突出するように形成されている。第１の放電用パターン４１は、第２の放電用パターン４２と対向する側面４１Ａ（第１の側面）を有する。側面４１Ａは、基板１６の上面に対して直交する平面である。側面４１Ａ（第１の側面）に対応する部分の第１の放電用パターン４１の幅Ｗ１は、例えば、０．１ｍｍ〜１０ｍｍとすることができる。また、第１の放電用パターン４１の厚さは、第１の配線パターン２１と略等しくすることができる。具体的には、第１の放電用パターン４１の厚さは、例えば、１８μｍとすることができる。
【００３８】
第２の放電用パターン４２は、ラインフィルタ実装領域Ｂに対応する部分の基板１６上に設けられている。第２の放電用パターン４２は、第２の配線パターン２１と一体的に構成されると共に、ラインフィルタ実装領域Ｂに位置する部分の第２の配線パターン２１の端部から突出している。第２の放電用パターン４２は、第１の放電用パターン４１と対向する側面４２Ａ（第２の側面）を有する。第２の放電用パターン４２は、側面４２Ａが第１の放電用パターン４１の側面４１Ａと対向すると共に、側面４１Ａと側面４２Ａとが略平行となるように配置されている。側面４１Ａと側面４２Ａとの間は、所定の間隔Ｃ（具体的には、ラインフィルタ２８に蓄電された雷サージ及び／又は静電気に起因するエネルギーを適正に放電することが可能な間隔）とされている。所定の間隔Ｃの値は、例えば、０．１ｍｍとすることができる。
【００３９】
側面４２Ａに対応する部分の第２の放電用パターン４２の幅Ｗ２は、第１の放電用パターン４１の幅Ｗ１よりも狭くしてもよいし、第１の放電用パターン４１の幅Ｗ１と略等しくしてもよいし、第１の放電用パターン４１の幅Ｗ１よりも広くしてもよい。例えば、図２に示すように、第１の放電用パターン４１の幅Ｗ１よりも第２の放電用パターン４２の幅Ｗ２が狭く、第１の放電用パターン４１の幅Ｗ１が３ｍｍの場合、第２の放電用パターン４２の幅Ｗ２は、例えば、０．５ｍｍとすることができる。また、第２の放電用パターン４２の厚さは、第２の配線パターン２２と略等しくすることができる。第２の放電用パターン４２の厚さは、例えば、１８μｍとすることができる。
【００４０】
図３は、第１及び第２の放電用パターンが破損した状態を模式的に示す図である。図３では、放電により、第１及び第２の放電用パターン４１，４２の角部が破損した状態を示している。
【００４１】
上記説明したように、第１の放電用パターン４１に第２の放電用パターン４２と対向する第１の側面４１Ａを設け、第２の放電用パターン４２に第１の側面４１Ａと対向する第２の側面４２Ａを設けると共に、第１の側面４１Ａと第２の側面４２Ａとを略平行に配置することにより、第１の放電用パターン４１及び／又は第２の放電用パターン４２の一部が破損した場合（図３参照）でも第１の放電用パターン４１と第２の放電用パターン４２との間を所定の間隔Ｃに保つことが可能となるので、ラインフィルタ２８に蓄電された雷サージ及び／又は静電気に起因するエネルギーを繰り返し放電することができる。
【００４２】
第１及び第２の放電用パターン４１，４２の形状は、例えば、矩形（図２参照）や台形にすることができる。
【００４３】
このように、第１及び第２の放電用パターン４１，４２の形状を矩形にすることにより、先鋭形状とされた従来の第１及び第２の放電用パターン２０１，２０２を形成する場合と比較して、第１及び第２の放電用パターン４１，４２を容易に形成することができる。
【００４４】
また、第１及び第２の放電用パターン４１，４２の形状を矩形にすることで、第１及び第２の放電用パターン４１，４２を複数設けることなく、第１及び第２の放電用パターン４１，４２の幅Ｗ１，Ｗ２を調整することで、第１及び第２の放電用パターン４１，４２の製品寿命を調整することができる。
【００４５】
図１及び図２を参照するに、放電ギャップパターン２６は、ラインフィルタ２８に蓄電された雷サージ及び／又は静電気に起因するエネルギーを放電することで内部回路３１が破損することを防止するためのパターンであり、第１の放電用パターン４４と、第２の放電用パターン４５とを有する。
【００４６】
第１の放電用パターン４４は、ラインフィルタ実装領域Ｂに対応する部分の基板１６上に設けられている。第１の放電用パターン４４は、第１の配線パターン１９と一体的に構成されると共に、ラインフィルタ実装領域Ｂに位置する部分の第１の配線パターン１９の端部から突出するように形成されている。第１の放電用パターン４４は、第２の放電用パターン４５と対向する側面４４Ａ（第１の側面）を有する。側面４４Ａは、基板１６の上面に対して直交する平面である。側面４４Ａ（第１の側面）に対応する部分の第１の放電用パターン４４の幅Ｗ３は、例えば、０．３ｍｍ〜３ｍｍとすることができる。また、第１の放電用パターン４４の厚さは、第１の配線パターン１９と略等しくすることができる。具体的には、第１の放電用パターン４４の厚さは、例えば、１８μｍとすることができる。
【００４７】
第２の放電用パターン４５は、ラインフィルタ実装領域Ｂに対応する部分の基板１６上に設けられている。第２の放電用パターン４５は、第２の配線パターン２２と一体的に構成されると共に、ラインフィルタ実装領域Ｂに位置する部分の第２の配線パターン２２の端部から突出している。第２の放電用パターン４５は、第１の放電用パターン４４と対向する側面４５Ａ（第２の側面）を有する。第２の放電用パターン４５は、側面４５Ａが第１の放電用パターン４４の側面４４Ａと対向すると共に、側面４４Ａと側面４５Ａとが略平行となるように配置されている。側面４４Ａと側面４５Ａとの間は、所定の間隔Ｃ（具体的には、ラインフィルタ２８に蓄電された雷サージ及び／又は静電気に起因するエネルギーを適正に放電することが可能な間隔）とされている。
【００４８】
側面４５Ａに対応する部分の第２の放電用パターン４５の幅Ｗ４は、第１の放電用パターン４４の幅Ｗ３よりも狭くしてもよいし、第１の放電用パターン４４の幅Ｗ３と略等しくしてもよいし、第１の放電用パターン４４の幅Ｗ３よりも広くしてもよい。例えば、図２に示すように、第１の放電用パターン４４の幅Ｗ３よりも第２の放電用パターン４５の幅Ｗ４が広く、第１の放電用パターン４４の幅Ｗ３が０．３ｍｍの場合、第２の放電用パターン４５の幅Ｗ４は、例えば、５ｍｍとすることができる。また、第２の放電用パターン４５の厚さは、第２の配線パターン２２と略等しくすることができる。第２の放電用パターン４５の厚さは、例えば、１８μｍとすることができる。
【００４９】
上記説明したように、第１の放電用パターン４４に第２の放電用パターン４５と対向する第１の側面４４Ａを設け、第２の放電用パターン４５に第１の側面４４Ａと対向する第２の側面４５Ａを設けると共に、第１の側面４４Ａと第２の側面４５Ａとを略平行に配置することにより、第１の放電用パターン４４及び／又は第２の放電用パターン４４，４５の一部が破損した場合でも第１の放電用パターン４４と第２の放電用パターン４５との間を所定の間隔Ｃに保つことが可能となるので、ラインフィルタ２８に蓄電された雷サージ及び／又は静電気に起因するエネルギーを繰り返し放電することができる。
【００５０】
第１及び第２の放電用パターン４４，４５の形状は、例えば、矩形（図２参照）や台形にすることができる。
【００５１】
このように、第１及び第２の放電用パターン４４，４５の形状を矩形にすることにより、先鋭形状とされた従来の第１及び第２の放電用パターン２０１，２０２を形成する場合と比較して、第１及び第２の放電用パターン４４，４５を容易に形成することができる。
【００５２】
また、第１及び第２の放電用パターン４４，４５の形状を矩形にすることで、第１及び第２の放電用パターン４４，４５を複数設けることなく、第１及び第２の放電用パターン４４，４５の幅Ｗ３，Ｗ４を調整することで、第１及び第２の放電用パターン４４，４５の製品寿命を調整することができる。
【００５３】
ラインフィルタ２８は、端子２８Ａ〜２８Ｄを有する。ラインフィルタ２８は、接続部３３〜３６に実装されている。これにより、端子２８Ａは第１の配線パターン１８と電気的に接続され、端子２８Ｂは第１の配線パターン１９と電気的に接続されている。また、端子２８Ｃは第２の配線パターン２１と電気的に接続され、端子２８Ｄは第２の配線パターン２２と電気的に接続されている。つまり、ラインフィルタ２８は、第１及び第２の配線パターン１８，１９，２１，２２と電気的に接続されている。
【００５４】
内部回路３１は、第２の配線パターン２１，２２と電気的に接続されている。内部回路３１は、例えば、ＡＣ／ＤＣコンバータ、ＡＣ／ＤＣコンバータを制御する制御部等から構成することができる。
【００５５】
本実施の形態の電子装置によれば、側面４１Ａを有した第１の放電用パターン４１、及び側面４１Ａと対向すると共に、側面４１Ａに対して略平行となるように配置された側面４２Ａを有する第２の放電用パターン４２を備えた放電ギャップパターン２５と、側面４４Ａを有した第１の放電用パターン４４、及び側面４４Ａと対向すると共に、側面４４Ａに対して略平行となるように配置された側面４５Ａを有する第２の放電用パターン４５を備えた放電ギャップパターン２６と、を備えることにより、ラインフィルタ２８に蓄積された雷サージ及び／又は静電気を繰り返し放電行うことが可能となるので、ラインフィルタ２８と電気的に接続された内部回路３１が破損することを防止できる。
【００５６】
図４は、導電部材が設けられた放電ギャップパターンを示す図である。図４において、図２に示す構造体と同一構成部分には同一符号を付す。
【００５７】
また、図４に示すように、放電ギャップパターン２５を構成する第１及び第２の放電用パターン４１，４２の上面、及び放電ギャップパターン２６を構成する第１及び第２の放電用パターン４４，４６の上面を導電部材４８で覆ってもよい。導電部材４８としては、例えば、はんだや導電性ペースト（例えば、Ａｇペースト）等を用いることができる。導電部材４８としてはんだを用いた場合、導電部材４８の厚さは、例えば、０．５ｍｍとすることができる。
【００５８】
このように、第１及び第２の放電用パターン４１，４２，４４，４６の上面を導電部材で覆うことにより、第１及び第２の放電用パターン４１，４２，４４，４６のパターンが破損しにくくなるため、放電ギャップパターン２５，２６の製品寿命を長くすることができる。
【００５９】
なお、図２に示す放電ギャップパターン２５，２６や図４に示す導電部材４８が設けられた放電ギャップパターン２５，２６の代わりに、後述する図５或いは図６に示す放電ギャップパターン５１，５７，６１，６７を電子装置１０に設けてもよい。この場合、放電ギャップパターン２５，２６を電子装置１０に設けた場合と同様な効果を得ることができる。
【００６０】
図５は、本実施の形態の第１変形例に係る放電ギャップパターンを示す図である。図５において、図２に示す構造体と同一構成部分には同一符号を付す。
【００６１】
図５を参照するに、放電ギャップパターン５１は、図２で説明した第１の放電用パターン４１（放電用パターン）と、接続部３５及び放電領域５４を有した第２の配線パターン５３とを有した構成とされている。第２の配線パターン５３は、図２で説明した第２の配線パターン２１と略等しい厚さとされており、第１の配線パターン１８及び第１の放電用パターン４１とは絶縁されている。
【００６２】
第１の放電用パターン４１と対向する部分の第２の配線パターン５３は、第１の放電用パターン４１の幅Ｗ１よりも幅広形状とされている。放電領域５４は、第１の放電用パターン４１の側面４１Ａ（放電用側面）と対向する部分の第２の配線パターン５３である。つまり、放電ギャップパターン５１では、第２の配線パターン５３の一部を放電パターンとして利用している。放電領域５４に対応する部分の第２の配線パターン５３の側面５４Ａと第１の放電用パターン４１の側面４１Ａとの間は、所定の間隔Ｃとされている。また、放電領域５４に対応する部分の第２の配線パターン５３の側面５４Ａは、第１の放電用パターン４１の側面４１Ａに対して略平行となるように配置されている。
【００６３】
このように、第１の放電用パターン４１と放電領域５４に対応する部分の第２の配線パターン５３との間が所定の間隔Ｃとなるように、第１の放電用パターン４１と放電領域５４とを対向配置させると共に、第１の放電用パターン４１の側面４１Ａと、放電領域５４に対応する部分の第２の配線パターン５３の側面５４Ａとを略平行とすることにより、第１の放電用パターン４１及び／又は放電領域５４に対応する部分の第２の配線パターン５３の一部が破損した場合でも第１の放電用パターン４１と放電領域５４に対応する部分の第２の配線パターン５３との間を所定の間隔Ｃに保つことが可能となるので、ラインフィルタ２８に蓄電された雷サージ及び／又は静電気に起因するエネルギーを繰り返し放電することができる。
【００６４】
放電ギャップパターン５７は、図２で説明した第１の放電用パターン４４（放電用パターン）と、接続部３６及び放電領域５８を有した第２の配線パターン５６とを有した構成とされている。第２の配線パターン５６は、先に説明した第２の配線パターン２２と略等しい厚さとされており、第１の配線パターン１９及び第１の放電用パターン４４とは絶縁されている。
【００６５】
第１の放電用パターン４４と対向する部分の第２の配線パターン５６は、第１の放電用パターン４４の幅Ｗ３よりも幅広形状とされている。放電領域５８は、第１の放電用パターン４４の側面４４Ａ（放電用側面）と対向する部分の第２の配線パターン５６である。つまり、放電ギャップパターン５７では、第２の配線パターン５６の一部を放電パターンとして利用している。放電領域５８に対応する部分の第２の配線パターン５６の側面５８Ａと第１の放電用パターン４４の側面４４Ａとの間は、所定の間隔Ｃとされている。また、放電領域５８に対応する部分の第２の配線パターン５６の側面５８Ａは、第１の放電用パターン４４の側面４４Ａに対して略平行となるように配置されている。
【００６６】
このように、第１の放電用パターン４４と放電領域５８に対応する部分の第２の配線パターン５６との間が所定の間隔Ｃとなるように、第１の放電用パターン４４と放電領域５８とを対向配置させると共に、第１の放電用パターン４４の側面４４Ａと、放電領域５８に対応する部分の第２の配線パターン５６の側面５８Ａとを略平行とすることにより、第１の放電用パターン４４及び／又は放電領域５８に対応する部分の第２の配線パターン５６の一部が破損した場合でも第１の放電用パターン４４と放電領域５８に対応する部分の第２の配線パターン５６との間を所定の間隔Ｃに保つことが可能となるので、ラインフィルタ２８に蓄電された雷サージ及び／又は静電気に起因するエネルギーを繰り返し放電することができる。
【００６７】
なお、上記説明した第１の放電用パターン４１，４４の上面、放電領域５４に対応する部分の第２の配線パターン５３の上面、及び放電領域５８に対応する部分の第２の配線パターン５６の上面を、図４で説明した導電部材４８で覆ってもよい。
【００６８】
図６は、本実施の形態の第２変形例に係る放電ギャップパターンを示す図である。図６において、図２に示す構造体と同一構成部分には同一符号を付す。
【００６９】
図６を参照するに、放電ギャップパターン６１は、図２で説明した第２の放電用パターン４２（放電用パターン）と、接続部３３及び放電領域６４を有した第１の配線パターン６３とを有した構成とされている。第１の配線パターン６３は、図２で説明した第１の配線パターン１８と略等しい厚さとされている。第１の配線パターン６３は、第２の配線パターン２１及び第２の放電用パター４２とは絶縁されている。
【００７０】
第２の放電用パターン４２と対向する部分の第１の配線パターン６３は、第２の放電用パターン４２の幅Ｗ２よりも幅広形状とされている。放電領域６４は、第２の放電用パターン４２の側面４２Ａ（放電用側面）と対向する部分の第１の配線パターン６３である。つまり、放電ギャップパターン６１では、第１の配線パターン６３の一部を放電用パターンとして利用している。放電領域６４に対応する部分の第１の配線パターン６３の側面６４Ａと第２の放電用パターン４２の側面４２Ａとの間は、所定の間隔Ｃとされている。また、放電領域６４に対応する部分の第１の配線パターン６３の側面６４Ａは、第２の放電用パターン４２の側面４２Ａに対して略平行となるように配置されている。
【００７１】
このように、第２の放電用パターン４２と放電領域６４に対応する部分の第１の配線パターン６３との間が所定の間隔Ｃとなるように、第２の放電用パターン４２と放電領域６４とを対向配置させると共に、第２の放電用パターン４２の側面４２Ａと、放電領域６４に対応する部分の第１の配線パターン６３の側面６４Ａとを略平行とすることにより、第２の放電用パターン４２及び／又は放電領域６４に対応する部分の第１の配線パターン６３の一部が破損した場合でも第２の放電用パターン４２と放電領域６４に対応する部分の第１の配線パターン６３との間を所定の間隔Ｃに保つことが可能となるので、ラインフィルタ２８に蓄電された雷サージ及び／又は静電気に起因するエネルギーを繰り返し放電することができる。
【００７２】
放電ギャップパターン６７は、図２で説明した第２の放電用パターン４５（放電用パターン）と、接続部３４及び放電領域６８を有した第１の配線パターン６６とを有した構成とされている。第１の配線パターン６６は、図２で説明した第２の配線パターン２２と略等しい厚さとされている。第１の配線パターン６６は、第２の配線パターン２２及び第２の放電用パターン４５とは絶縁されている。
【００７３】
第２の放電用パターン４５と対向する部分の第１の配線パターン６６は、第２の放電用パターン４５の幅Ｗ４よりも幅広形状とされている。放電領域６８は、第２の放電用パターン４５の側面４５Ａ（放電用側面）と対向する部分の第１の配線パターン６６である。つまり、放電ギャップパターン６７では、第１の配線パターン６６の一部を放電パターンとして利用している。放電領域６８に対応する部分の第１の配線パターン６６の側面６８Ａと第２の放電用パターン４５の側面４５Ａとの間は、所定の間隔Ｃとされている。また、放電領域６８に対応する部分の第１の配線パターン６６の側面６８Ａは、第２の放電用パターン４５の側面４５Ａに対して略平行となるように配置されている。
【００７４】
このように、第２の放電用パターン４５と放電領域６８に対応する部分の第１の配線パターン６６との間が所定の間隔Ｃとなるように、第２の放電用パターン４５と放電領域６８とを対向配置させると共に、第２の放電用パターン４５の側面４５Ａと、放電領域６８に対応する部分の第１の配線パターン６６の側面６８Ａとを略平行とすることにより、第２の放電用パターン４５及び／又は放電領域６８に対応する部分の第１の配線パターン６６の一部が破損した場合でも第２の放電用パターン４５と放電領域６８に対応する部分の第１の配線パターン６６との間を所定の間隔Ｃに保つことが可能となるので、ラインフィルタ２８に蓄電された雷サージ及び／又は静電気に起因するエネルギーを繰り返し放電することができる。
【００７５】
なお、上記説明した第２の放電用パターン４２，４５の上面、放電領域６４に対応する部分の第１の配線パターン６３の上面、及び放電領域６８に対応する部分の第１の配線パターン６６の上面を、図４で説明した導電部材４８で覆ってもよい。
【００７６】
以上、本発明の好ましい実施の形態について詳述したが、本発明はかかる特定の実施の形態に限定されるものではなく、特許請求の範囲内に記載された本発明の要旨の範囲内において、種々の変形・変更が可能である。
【００７７】
例えば、本実施の形態で説明した第１の放電用パターン４１，４４、第２の放電用パターン４２，４５、第１の配線パターン６３，６６、及び第２の配線パターン５３，５６を組み合わせて、放電ギャップパターンを構成してもよい。
【００７８】
また、本実施の形態で説明した放電ギャップパターン２５，２６，５１，５７，６１，６７を電源装置１０の１次―２次間に配設してもよい。
【産業上の利用可能性】
【００７９】
本発明は、雷サージ及び／又は静電気を放電する放電ギャップパターン及び電源装置に適用可能である。
【図面の簡単な説明】
【００８０】
【図１】本発明の実施の形態に係る電源装置の概略構成図である。
【図２】図１に示す領域Ａに対応する部分の電源装置の平面図である。
【図３】第１及び第２の放電用パターンが破損した状態を模式的に示す図である。
【図４】導電部材が設けられた放電ギャップパターンを示す図である。
【図５】本実施の形態の第１変形例に係る放電ギャップパターンを示す図である。
【図６】本実施の形態の第２変形例に係る放電ギャップパターンを示す図である。
【図７】従来の放電ギャップパターンを示す平面図である。
【図８】従来の放電ギャップパターンを備えた電源装置の概略構成図である。
【図９】従来の放電ギャップパターンの問題を説明するための図である。
【符号の説明】
【００８１】
１０  電源装置
１１  ＡＣ電源
１２  ヒューズ
１４  バリスタ
１５  コンデンサ
１６  基板
１８，１９，６３，６６  第１の配線パターン
２１，２２，５３，５６  第２の配線パターン
２５，２６，５１，５７，６１，６７  放電ギャップパターン
２８  ラインフィルタ
２８Ａ，２８Ｂ，２８Ｃ，２８Ｄ  端子
３１  内部回路
３３〜３６  接続部
４１，４４  第１の放電用パターン
４１Ａ，４２Ａ，４４Ａ，４５Ａ，５４Ａ，５８Ａ，６４Ａ，６８Ａ  側面
４２，４５  第２の放電用パターン
４８  導電部材
５４，５８，６４，６８  放電領域
A  領域
Ｂ  ラインフィルタ実装領域
Ｃ  所定の間隔
Ｗ１，Ｗ２，Ｗ３，Ｗ４  幅
【図１】
2010021209.tif 000003
【図２】
2010021209.tif 000004
【図３】
2010021209.tif 000005
【図４】
2010021209.tif 000006
【図５】
2010021209.tif 000007
【図６】
2010021209.tif 000008
【図７】
2010021209.tif 000009
【図８】
2010021209.tif 000010
【図９】
2010021209.tif 000011